Podtech/llm-jp-corpus-v4-ja_patent huggingface dataset:
【手続補正書】
【提出日】令和3年7月12日(2021.7.12)
【手続補正１】
【補正対象書類名】明細書
【補正対象項目名】０００５
【補正方法】変更
【補正の内容】
【０００５】
半導体プロセスチャンバ内で基板上に強化された膜を形成するための方法および装置が提供される。
【手続補正２】
【補正対象書類名】明細書
【補正対象項目名】００２４
【補正方法】変更
【補正の内容】
【００２４】
第１の層２０６をサーマルソークした後、水素ベースの前駆体２０８および／またはすべての吸着されていない分子を基板２０２から除去するためにパージプロセスが実行される（図１の流れ図ブロック１０８）。このパージプロセスは、基板２０２の上に不活性ガスを流すこと、および／または基板２０２の近くのガスをポンプ排出することを含むことができる。図２Ｄの断面図２００Ｄに示されているように、プラズマプロセスを使用してまたはプラズマプロセスを使用せずに、塩化物ベースのガスと水素ガス（Ｈ2）および不活性ガスとの混合プロセスガス２１０を流すことによって、任意選択で、第１の層２０６上に、図２Ｅの断面図２００Ｅに示されている第２の層２１２を堆積させることができる（流れ図ブロック１１０）。プラズマプロセスを使用するいくつかの実施形態については、プラズマプロセスが、流れ図ブロック１０２に関して上で説明されている。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
断熱材で作られ、かつ、１つまたは複数の形状記憶合金（ＳＭＡ）ワイヤ（１０３、１１３、１２３）によって互いに移動可能に接続された上層（１２）および下層（１１）から構成されている対の層を少なくとも１つ備える熱遮蔽複合クロス（１００、１１０、１２０、７０、８０、９０）であって、
形状記憶合金ワイヤ（１０３、１１３、１２３）が作られている形状記憶合金のオーステナイト相温度（Ａｆ）以上の温度では、
Ｌｕ／Ｌｌの比が０．１と１０の間に含まれ、
Ｌｕは、前記熱遮蔽複合クロス（１００、１１０、１２０、７０、８０、９０）の３ｃｍ２のエリアにわたって前記上層（１２）に拘束されている形状記憶合金ワイヤ（１０３、１１３、１２３）の部分の長さの合計であり、
Ｌｌは、前記熱遮蔽複合クロス（１００、１１０、１２０、７０、８０、９０）の前記３ｃｍ２のエリアにわたって前記下層（１１）に拘束されている形状記憶合金ワイヤ（１０３、１１３、１２３）の部分の長さの合計である、という関係が満たされ、
前記形状記憶合金ワイヤ（１０３、１１３、１２３）が、互いに平行に配置されている（７０、９０）かまたは格子パターンに配設されており（８０）、前記熱遮蔽複合クロス（１００、１１０、１２０、７０、８０、９０）の１０ｃｍ２の正方形のエリアにわたる形状記憶合金ワイヤ（１０３、１１３、１２３）部分の数が１と２００の間に含まれ、
また、
（Ｌｕ＋Ｌｌ）／Ｈの比が０．１と１０の間に含まれ、
Ｈは、前記上層（１２）と前記下層（１１）の間に配置され、前記熱遮蔽複合クロス（１００、１１０、１２０、７０、８０、９０）の前記３ｃｍ２のエリアにわたって拘束されていない形状記憶合金ワイヤ（１０３、１１３、１２３）の部分の長さの合計である、という関係も満たされることによって特徴づけられ、
前記熱遮蔽複合クロス（１００、１１０、１２０、７０、８０、９０）の全体的な構成は、前記オーステナイト相温度（Ａｆ）以上の温度では、前記上層（１２）と前記下層（１１）の間の距離が、０ｍｍと５ｍｍの間に含まれる最小距離から始まって１ｍｍと４０ｍｍの間に含まれる量だけ増加する、熱遮蔽複合クロス（１００、１１０、１２０、７０、８０、９０）。
【請求項２】
前記形状記憶合金ワイヤ（１０３、１１３、１２３）が、交差ワイヤ間の角度が９０°の格子パターン（８０）に従って配設されている、請求項１に記載の熱遮蔽複合クロス（１００、１１０、１２０、７０、８０、９０）。
【請求項３】
前記上層（１２）と前記下層（１１）の間に熱絶縁性ガスが存在し、マルテンサイト相温度（Ｍｆ）よりも低い温度における前記上層（１２）と前記下層（１１）の間の最小距離が前記形状記憶合金ワイヤ（１０３、１１３、１２３）の直径によって決定される、請求項１に記載の熱遮蔽複合クロス（１００、１１０、１２０、７０、８０、９０）。
【請求項４】
前記上層（１２）と前記下層（１１）の間に熱絶縁性固体材料が配置されている、請求項１に記載の熱遮蔽複合クロス（１００、１１０、１２０、７０、８０、９０）。
【請求項５】
互いに重ね合わされた上層（１２）と下層（１１）の対を２つ以上備える熱遮蔽複合クロスであって、層の対（１１、１２）の上層（１２）が、隣接した層の対（１１、１２）の下層（１１）に結合されている、請求項１に記載の熱遮蔽複合クロス（１００、１１０、１２０、７０、８０、９０）。
【請求項６】
互いに重ね合わされた上層（１２）と下層（１１）の対を２つ以上備える熱遮蔽複合クロスであって、一対の層（１１、１２）の上層（１２）が、隣接した層の対（１１、１２）の下層（１１）でもある、請求項１に記載の熱遮蔽複合クロス（１００、１１０、１２０、７０、８０、９０）。
【請求項７】
請求項１に記載の熱遮蔽複合クロス（１００、１１０、１２０、７０、８０、９０）を備える衣類。
【請求項８】
前記衣類が長手袋である、請求項７に記載の衣類。
【請求項９】
前記衣類が消防士のベストの一部分である、請求項７に記載の衣類。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
（ａ）凝集性および歯エナメルへの接着性を有するヒドロゲル形成性ポリマーと、
（ｂ）フッ化物剤と
を含む水溶性歯科用バーニッシュ組成物であって、
前記ヒドロゲル形成性ポリマーは水溶性ポリマーおよび前記水溶性ポリマーに化学的および／または物理的に結合されたドーパミンを含むことを特徴とする組成物。
【請求項２】
前記水溶性ポリマーに結合された前記ドーパミンはエナメル表面上に存在するあらゆるカルシウムイオンに接着すると共に、周囲媒体から前記ヒドロゲル形成性ポリマーへのカルシウムイオンを吸収する、請求項１に記載の水溶性歯科用バーニッシュ組成物
【請求項３】
前記ヒドロゲル形成性ポリマーは少なくとも１種の抗酸化剤をさらに含む、請求項１に記載の水溶性歯科用バーニッシュ組成物。
【請求項４】
金属イオン源をさらに含む、請求項１に記載の水溶性歯科用バーニッシュ組成物。
【請求項５】
増粘剤、粘着付与剤、着香料、甘味料、着色料またはそれらの組み合わせのうちの１つ以上をさらに含む、請求項１に記載の水溶性歯科用バーニッシュ組成物。
【請求項６】
刺激部分をさらに含む、請求項１に記載の水溶性歯科用バーニッシュ組成物。
【請求項７】
前記刺激部分は分岐鎖状カチオン性ポリマーである、請求項６に記載の水溶性歯科用バーニッシュ組成物。
【請求項８】
前記分岐鎖状カチオン性ポリマーはポリリジン、ポリアルギニン、分岐鎖状ポリエチレンイミン、分岐鎖状ポリ（ジアリルジメチルアンモニウムクロリド）およびそれらの組み合わせからなる群から選択される、請求項７に記載の水溶性歯科用バーニッシュ組成物。
【請求項９】
前記フッ化物剤はフッ化ナトリウム、フッ化第一スズ、酸性フッ素リン酸、アミンフッ化物、フルオロシランおよびそれらの混合物からなる群から選択される、請求項１に記載の水溶性歯科用バーニッシュ組成物。
【請求項１０】
前記アミンフッ化物は、Ｎ’，Ｎ’−トリ−（ポリオキシエチレン）−Ｎ−ヘキサデシルプロピレンジアミンジヒドロフルオリド、９−オクタデシルアミンヒドロフルオリド、ヘキサデシルアミンヒドロフルオリド、およびビス−（ヒドロキシエチル）−アミノプロピル−Ｎ−ヒドロキシエチルオクタデシルアミンジヒドロフルオリドからなる群から選択される、請求項９に記載の水溶性歯科用バーニッシュ組成物。
【請求項１１】
前記ヒドロゲル形成性ポリマーは前記組成物の総体積に対して０．０１重量％〜５０重量％の濃度で存在する、請求項１に記載の水溶性歯科用バーニッシュ組成物。
【請求項１２】
前記刺激部分は前記組成物の総体積に対して０．１〜５０重量％の濃度で存在する、請求項１に記載の水溶性歯科用バーニッシュ組成物。
【請求項１３】
前記フッ化物剤は前記組成物の総重量に対して約０．０１〜約１０重量％の濃度で存在する、請求項１に記載の水溶性歯科用バーニッシュ組成物。
【請求項１４】
前記歯科用バーニッシュはフッ化物イオンを約１０００ｐｐｍ〜約２２６００ｐｐｍの濃度で放出する、請求項１に記載の水溶性歯科用バーニッシュ組成物。
【請求項１５】
水溶性歯科用組成物を生理的温度およびｐＨで歯表面に塗布する工程を含む方法であって、前記水溶性歯科用組成物はそれ自体への凝集性および歯エナメルへの接着性を有するヒドロゲル形成性ポリマー、フッ化物剤および水を含むことを特徴とする方法。
【請求項１６】
前記ヒドロゲル形成性ポリマーは、歯エナメルのヒドロキシアパタイトに接着し、かつそれ自体に凝集する、請求項１５に記載の方法。
【請求項１７】
歯への塗布前に前記組成物の撹拌、混合または振盪のいずれも必要としない、請求項１５に記載の方法。
【請求項１８】
前記水溶性歯科用組成物を調製する際のｐＨを、前記水溶性ヒドロゲル系歯科用バーニッシュのそれ自体への凝集レベルおよび前記水溶性ヒドロゲル系歯科用バーニッシュの前記歯表面への接着レベルがより高くなる塗布ｐＨに調整する工程を含む、請求項１５に記載の方法。
【請求項１９】
前記水溶性歯科用組成物を調製する前記ｐＨは約１０である、請求項１８に記載の方法。
【請求項２０】
前記塗布ｐＨは約７．５〜８．５である、請求項１８に記載の方法。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
一次性頭痛の予防及び治療においてアジュバントとして用いるためのナツシロギク乾燥抽出物、シロヤナギ乾燥抽出物及びマグネシウムの組み合わせ（ａｓｓｏｃｉａｔｉｏｎ）。
【請求項２】
前記一次性頭痛が、前兆を伴う及び前兆を伴わない片頭痛、緊張性頭痛、慢性頭痛及び群発性頭痛である、請求項１に記載の使用のための組み合わせ。
【請求項３】
前記組み合わせが、経口投与される、請求項１又は２に記載の使用のための組み合わせ。
【請求項４】
前記ナツシロギク乾燥抽出物が、前記植物の開花地上部に由来し、前記抽出物の全重量の０．５重量％以上１０重量％以下のパルテノリドを有する、請求項１〜３の何れか１項に記載の使用のための経口用の組み合わせ。
【請求項５】
前記シロヤナギ乾燥抽出物が、前記植物の樹皮に由来し、前記抽出物の全重量の１５重量％以上３０重量％以下のサリシン成分を有する、請求項１〜４の何れか１項に記載の使用のための組み合わせ。
【請求項６】
前記マグネシウムの供給源が、酸化マグネシウムの重量の６０重量％の量のマグネシウムを含む酸化マグネシウムである、請求項１〜５の何れか１項に記載の使用のための組み合わせ。
【請求項７】
ナツシロギク乾燥抽出物、シロヤナギ乾燥抽出物及びマグネシウムを適切な賦形剤及び／又は希釈剤と組み合わせて含む経口組成物。
【請求項８】
前記ナツシロギク乾燥抽出物が、前記植物の開花地上部に由来し、前記抽出物の全重量の０．５重量％以上１０重量％以下のパルテノリド含有量を有し、
前記シロヤナギ乾燥抽出物が、前記植物の樹皮に由来し、前記抽出物の総重量の１５重量％以上３０重量％以下のサリシン成分を有し、
前記マグネシウム供給源が、酸化マグネシウムであり、これは、マグネシウム酸化物の重量の６０重量％のマグネシウムを含み、
ただし、
ｉ）前記サリシンの量が、１日最大推奨用量である９６ｇを超えない；
ｉｉ）前記マグネシウムの量が、１日最大推奨用量である４５０ｍｇを超えない、
請求項７に記載の経口組成物。
【請求項９】
１００〜１７０ｍｇの量のナツシロギク、
３００〜３５０ｍｇの量のシロヤナギ抽出物、
２００〜２５０ｍｇの量のマグネシウム、
を含む、１日２回投与可能な錠剤の形態の請求項８に記載の経口組成物。
【請求項１０】
１４０ｍｇのナツシロギク乾燥抽出物、３２０ｍｇのシロヤナギ乾燥抽出物及び２２５ｍｇのマグネシウムを含む請求項９に記載の経口組成物。
【請求項１１】
請求項７〜１０の何れか１項に記載の経口組成物が一体的に組み込まれてなる栄養補助食品。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
治療的有効量のジオスミンもしくはジオスメチン、または医薬として許容され得るその塩を含む、自己免疫性微小血管系疾患の治療を必要とする対象における自己免疫性微小血管系疾患を治療するための医薬組成物であって、前記対象に対して治療的有効期間にわたり投与される、医薬組成物。
【請求項２】
治療的有効量のジオスミンもしくはジオスメチン、または医薬として許容され得るその塩を含む、自己免疫性微小血管系疾患に罹患している対象の潰瘍を治療するための医薬組成物であって、前記対象に対して治療的有効期間にわたり投与される、医薬組成物。
【請求項３】
治療的有効量のジオスミンもしくはジオスメチン、または医薬として許容され得るその塩を含む、全身性硬化症に罹患している対象の潰瘍を治療するための医薬組成物であって、前記対象に対して治療的有効期間にわたり投与される、医薬組成物。
【請求項４】
治療的有効量のジオスミンもしくはジオスメチン、または医薬として許容され得るその塩を含む、全身性硬化症に罹患している対象のデジタル潰瘍を治療するための医薬組成物であって、前記対象に対して治療的有効期間にわたり投与される、医薬組成物。
【請求項５】
自己免疫性微小血管系疾患に罹患している対象の潰瘍を治療するための、請求項1に記載の医薬組成物。
【請求項６】
全身性硬化症に罹患している対象の潰瘍を治療するための、請求項1または2に記載の医薬組成物。
【請求項７】
前記自己免疫性血管系疾患が、関節リウマチ、全身性エリテマトーデス、シェーグレン病、全身性硬化症、皮膚筋炎、混合性結合組織病、白血球破砕性血管炎、抗リン脂質抗体症候群、ならびにクリオグロブリン血症およびクリオフィブリノゲン血症を含めたパラプロテイン血症から選択される、請求項1または2に記載の医薬組成物。
【請求項８】
全身性硬化症に罹患している患者のデジタル潰瘍を治療するための、請求項1、2、または3のいずれか一項に記載の医薬組成物。
【請求項９】
前記対象が微小血管炎に罹患している、請求項1〜8のいずれか一項に記載の医薬組成物。
【請求項１０】
前記対象が、終末動脈血管または毛細血管における微小血管炎に罹患している、請求項1〜9のいずれか一項に記載の医薬組成物。
【請求項１１】
前記対象が、非静脈性微小血管炎に罹患している、請求項1〜10のいずれか一項に記載の医薬組成物。
【請求項１２】
前記対象が、終末動脈血管または毛細血管における非静脈性微小血管炎に罹患している、請求項1〜11のいずれか一項に記載の医薬組成物。
【請求項１３】
1前記対象が、びまん性全身性硬化症、限局性全身性硬化症、および限局性強皮症から選択される硬化症の状態に罹患している、請求項1〜12のいずれか一項に記載の医薬組成物。
【請求項１４】
前記対象がCREST症候群に罹患している、請求項1〜13のいずれか一項に記載の医薬組成物。
【請求項１５】
前記対象が、デジタル虚血および二次性レイノー現象から生じる1もしくは複数のデジタル潰瘍に罹患している、請求項1〜14のいずれか一項に記載の医薬組成物。
【請求項１６】
前記対象が、二次性レイノー現象に関連する血管攣縮による虚血を伴った微小血管疾患と実際の毛細血管の損失の組み合わせによる虚血に起因する1もしくは複数のデジタル潰瘍に罹患している、請求項1〜15のいずれか一項に記載の医薬組成物。
【請求項１７】
前記治療的有効量が、毎日、対象に対して経口的に投与される300〜5000mgのジオスミンまたは医薬として許容され得るその塩である、請求項1〜16のいずれか一項に記載の医薬組成物。
【請求項１８】
前記治療的有効量が、毎日、対象に対して経口的に投与される150〜2500mgのジオスメチンまたは医薬として許容され得るその塩である、請求項1〜17のいずれか一項に記載の医薬組成物。
【請求項１９】
前記治療的有効量が、毎日、対象に対して経口的に投与される400〜2000mgのジオスミンまたは医薬として許容され得るその塩である、請求項1〜17のいずれか一項に記載の医薬組成物。
【請求項２０】
前記治療的有効量が、対象に対して経口的に投与される200〜1000mgのジオスメチンまたは医薬として許容され得るその塩である、請求項1〜17のいずれか一項に記載の医薬組成物。
【請求項２１】
前記治療的有効量が、毎日、対象に対して経口的に投与される800〜1200mgのジオスミンまたは医薬として許容され得るその塩である、請求項1〜17のいずれか一項に記載の医薬組成物。
【請求項２２】
前記治療的有効量が、毎日、対象に経口的に投与される400〜600mgのジオスメチンまたは医薬として許容され得るその塩である、請求項1〜17のいずれか一項に記載の医薬組成物。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
クロモリンナトリウムおよびイブプロフェンを含む組成物であって、前記クロモリンナトリウムが微粒子の形態であり、前記クロモリンナトリウムおよびイブプロフェンが１：１〜２の重量比で存在する組成物。
【請求項２】
送達された量の３６重量％から５６重量％のクロモリンナトリウムを、８０Ｌ／秒の流量で３秒間、次世代医薬品インパクタ（ＮＧＩ）カスケードインパクタ装置のステージ３マイクロオリフィスコレクタ（ＭＯＣ）に、沈着させる装置を用いて、送達させることができる、請求項１に記載の組成物。
【請求項３】
前記装置が、ドライパウダー吸入器（ＤＰＩ）である、請求項２に記載の組成物。
【請求項４】
前記クロモリンナトリウム粒子の粒径分布Ｄ９０が、５μｍ以下である、請求項１〜３のいずれか１項に記載の組成物。
【請求項５】
前記イブプロフェンが微粒子の形態である、請求項１〜４のいずれか１項に記載の組成物。
【請求項６】
イブプロフェンが微粒子の形態であり、前記イブプロフェンの平均粒径が２μｍから５μｍである、請求項１〜５のいずれか１項に記載の組成物。
【請求項７】
イブプロフェンが粗粒子の形態であり、粗粒径分布Ｄ１０は約２２μｍ、Ｄ５０は約５８μｍ、Ｄ９０は約１０９μｍである、請求項１〜４のいずれか１項に記載の組成物。
【請求項８】
クロモリンナトリウムおよびイブプロフェンが粉末形態である、請求項１〜５のいずれか１項に記載の組成物。
【請求項９】
前記イブプロフェン粒子が３μｍ以下の粒径を有する、請求項８に記載の組成物。
【請求項１０】
１つ以上の薬学的に許容される賦形剤をさらに含む、請求項１〜９のいずれか１項に記載の組成物。
【請求項１１】
前記賦形剤が、乳糖一水和物またはステアリン酸マグネシウムである、請求項１０に記載の組成物。
【請求項１２】
前記賦形剤がステアリン酸マグネシウムであり、前記組成物におけるステアリン酸マグネシウムの量が、２％（ｗ／ｗ）である、請求項１０に記載の組成物。
【請求項１３】
前記組成物が、１７ｍｇから２４ｍｇのクロモリンナトリウムを含む、請求項１〜１２のいずれか１項に記載の組成物。
【請求項１４】
前記組成物が、１７．１ｍｇのクロモリンナトリウムを含む、請求項１〜１３のいずれか１項に記載の組成物。
【請求項１５】
前記組成物が、１０ｍｇから１４ｍｇのイブプロフェンを含む、請求項１〜１４のいずれか１項に記載の組成物。
【請求項１６】
請求項１〜１５のいずれか１項に記載の組成物の製造方法であって、
クロモリンナトリウムを微粒子化して、微粒子化クロモリンナトリウムを形成すること、
微粒子化クロモリンナトリウムおよびイブプロフェンを別々にふるいにかけて、ふるいにかけたクロモリンナトリウムおよびふるいにかけたイブプロフェンを形成することと、
ふるいにかけたクロモリンナトリウムおよびふるいにかけたイブプロフェンを混合して、混合したクロモリンナトリウムおよびイブプロフェンを形成することと、
混合した前記クロモリンナトリウムおよびイブプロフェンを混合共粉砕して、請求項１〜１５のいずれか１項に記載の組成物を形成することと、を含む方法。
【請求項１７】
前記ふるいが２００μｍ〜６００μｍのふるいである、請求項１６に記載の方法。
【請求項１８】
前記ふるいが３００μｍ〜４００μｍのふるいである、請求項１６に記載の方法。
【請求項１９】
前記微粒子化がエアジェットミルを用いて実施される、請求項１６に記載の方法。
【請求項２０】
前記エアジェットミルが、約４５ｐｓｉの供給ガス圧力および約４５ｐｓｉの粉砕圧力を有する、請求項１９に記載の方法。
【請求項２１】
アルツハイマー病、パーキンソン病、筋萎縮性側索硬化症、脳卒中、喘息から選択される病気または状態を治療するための、請求項１〜１５のいずれか１項に記載の組成物。
【請求項２２】
前記クロモリンナトリウムおよびイブプロフェンが粉末形態である、請求項２１に記載の組成物。
【請求項２３】
前記イブプロフェンが３μｍ以下の粒径を有する、請求項２１に記載の組成物。
【請求項２４】
前記病気または状態が、アルツハイマー病である、請求項２１に記載の組成物。
【請求項２５】
前記病気または状態が、筋萎縮性側索硬化症である、請求項２１に記載の組成物。
【請求項２６】
前記病気または状態が、パーキンソン病である、請求項２１に記載の組成物。
【請求項２７】
前記病気または状態が、脳卒中である、請求項２１に記載の組成物。
【請求項２８】
前記病気または状態が、喘息である、請求項２１に記載の組成物。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
副作用を軽減する一方で、その処置を必要とする患者にリンパ球注入の利益を提供する方法であって、
（ａ）ドナーサンプルからＨＰＲＴ欠損リンパ球を生成するステップ；
（ｂ）改変リンパ球の集団を提供するためにｅｘ  ｖｉｖｏで該ＨＰＲＴ欠損リンパ球をポジティブ選択するステップ；
（ｃ）ＨＳＣグラフトを該患者に投与するステップ；
（ｄ）該ＨＳＣグラフトの投与後に該改変リンパ球の集団を該患者に投与するステップ；および
（ｅ）副作用が生じた場合に、場合によりＭＴＸを投与するステップ
を含む前記方法。
【請求項２】
ＨＰＲＴ欠損リンパ球は、ＨＰＲＴ遺伝子のノックダウンを通じて、または  ＨＰＲＴ遺伝子のノックアウトを通じて生成される、請求項１に記載の方法。
【請求項３】
ポジティブ選択は、生成されたＨＰＲＴ欠損リンパ球をプリン類似体と接触させるステップを含み、特に該プリン類似体は、６ＴＧである、請求項１に記載の方法。
【請求項４】
６ＴＧの量は、約１から約１５μｇ／ｍＬの間である、請求項３に記載の方法。
【請求項５】
ポジティブ選択は、生成されたＨＰＲＴ欠損リンパ球を、プリン類似体、および、キサンチン酸化酵素阻害剤の両方と接触させるステップを含み、特に該キサンチン酸化酵素阻害剤は、アロプリノールである、請求項１に記載の方法。
【請求項６】
ＨＳＣグラフトは、骨髄破壊的前処置後に患者に投与される、請求項１に記載の方法。
【請求項７】
改変リンパ球は、単一ボーラスとして、または複数用量で投与される、請求項１に記載の方法。
【請求項８】
各用量は、細胞約０．１×１０6個／ｋｇから細胞約２４０×１０6個／ｋｇを含む、請求項７に記載の方法。
【請求項９】
改変リンパ球の合計投薬量は、細胞約０．１×１０6個／ｋｇから細胞約７３０×１０6個／ｋｇを含む、請求項７または８に記載の方法。
【請求項１０】
改変リンパ球の投与は、ＨＳＣグラフトの投与の２から４週間後に行われる、請求項１に記載の方法。
【請求項１１】
ＭＴＸは、ＧＶＨＤの診断で、特に用量設定された用量で投与される、請求項１に記載の方法。
【請求項１２】
投与されるＭＴＸの量は、約２ｍｇ／ｍ2／注入から約１００ｍｇ／ｍ2／注入の範囲である、請求項１１に記載の方法。
【請求項１３】
副作用を軽減する一方で、その処置を必要とする患者にリンパ球注入の利益を提供する方法であって、
（ａ）ドナーサンプルからＨＰＲＴ欠損リンパ球を生成するステップ；
（ｂ）改変リンパ球の集団を提供するためにｅｘ  ｖｉｖｏで該ＨＰＲＴ欠損リンパ球をポジティブ選択するステップ；および
（ｃ）ＨＳＣグラフトの投与と同時にまたはその後に該改変リンパ球の集団を該患者に投与するステップ
を含む前記方法。
【請求項１４】
副作用が生じた場合にＭＴＸを投与するステップをさらに含む、請求項１３に記載の方法。
【請求項１５】
投与されるＭＴＸの量は、約２ｍｇ／ｍ2／注入から約１００ｍｇ／ｍ2／注入の範囲であり、特に約２ｍｇ／ｍ2／注入から約８ｍｇ／ｍ2／注入の範囲である、請求項１４に記載の方法。
【請求項１６】
その処置を必要とする患者において血液学的がんを処置する方法であって、
（ａ）ドナーサンプルからＨＰＲＴ欠損リンパ球を生成するステップ；
（ｂ）改変リンパ球の集団を提供するためにｅｘ  ｖｉｖｏで該ＨＰＲＴ欠損リンパ球をポジティブ選択するステップ；
（ｃ）ＨＳＣグラフトを該患者に投与することによって少なくとも部分的な移植片対悪性腫瘍効果を誘導するステップ；および
（ｄ）残存疾患または疾患再発の検出後に該改変リンパ球の集団を該患者に投与するステップ
を含む前記方法。
【請求項１７】
ＭＴＸの１またはそれ以上の用量を投与するステップをさらに含む、請求項１６に記載の方法。
【請求項１８】
その処置を必要とする患者においてがんを処置する方法であって、
（ａ）ＨＰＲＴ欠損である腫瘍抗原特異的Ｔ細胞を生成するステップ；
（ｂ）投与のための腫瘍抗原特異的Ｔ細胞の集団を提供するためにｅｘ  ｖｉｖｏでＨＰＲＴ欠損腫瘍抗原特異的Ｔ細胞をポジティブ選択するステップ；および
（ｃ）該腫瘍抗原特異的Ｔ細胞の集団を該患者に投与するステップ
を含み、
（ｄ）場合により、ＧＶＨＤの少なくとも１つの症状を抑制するためにＭＴＸの少なくとも１用量を投与するステップをさらに含む、
前記方法。
【請求項１９】
患者において副作用を軽減する一方で、リンパ球注入の利益を提供する方法であって、（ｉ）ＨＰＲＴ欠損である改変Ｔ細胞を該患者に投与するステップ；および
（ｉｉ）副作用の発症で該患者にＭＴＸを投与するステップ
を含む前記方法。
【請求項２０】
ＨＰＲＴ欠損であり、抗腫瘍性キメラ受容体を含むリンパ球の集団であって、ＭＴＸおよび／またはＭＰＡの存在下でネガティブ選択に感受性である、前記リンパ球の集団。
【請求項２１】
請求項２０に記載のリンパ球の集団および薬学的に許容される担体を含む医薬組成物。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
ＮＡＡＤＰ受容体２孔チャネルＴＰＣ１および／またはＴＰＣ２の開口による神経変性疾患および／または炎症性疾患の予防および／または治療に使用するための、ＣＤ３８と特異的に結合する化合物を含む医薬組成物であって、前記化合物はＮＡＡＤＰ受容体２孔チャネルＴＰＣ１および／またはＴＰＣ２の開口を活性化する、医薬組成物。
【請求項２】
前記化合物が、
抗体、その抗原結合フラグメントまたは抗原結合抗体模倣物および
有機小分子
を含む群より選択される、請求項１に記載の医薬組成物。
【請求項３】
前記化合物が、ＣＤ３８のＮＡＡＤＰ加水分解酵素活性を阻害することによって、またはＣＤ３８のＮＡＡＤＰシンターゼ活性を活性化することによって、ニューロンおよび／または免疫細胞の細胞内ＮＡＡＤＰレベルを増大させる、請求項１または２に記載の医薬組成物。
【請求項４】
前記化合物が、配列番号１のアミノ酸２２０〜２８５を含むペプチドと特異的に結合する抗ＣＤ３８抗体、その抗原結合フラグメントまたは抗原結合抗体模倣物である、請求項１〜３のいずれか１項に記載の医薬組成物。
【請求項５】
前記化合物が、配列番号１のシステイン２５４および／またはシステイン２７５と特異的に結合する抗ＣＤ３８抗体、その抗原結合フラグメントまたは抗原結合抗体模倣物である、請求項１〜４のいずれか１項に記載の医薬組成物。
【請求項６】
前記化合物が、配列番号１のシステイン２５４およびシステイン２７５を含む５番目のＣ末端ジスルフィドループに特異的に結合する抗ＣＤ３８抗体もしくはその抗原結合フラグメントまたは抗原結合抗体模倣物である、請求項１〜５のいずれか１項に記載の医薬組成物。
【請求項７】
前記化合物がＣＤ３８の内部移行を誘導する、請求項１〜６のいずれか１項に記載の医薬組成物。
【請求項８】
前記化合物が、１０−７以下のＫＤでヒトＣＤ３８と特異的に結合する抗ＣＤ３８抗体、その抗原結合フラグメントまたは抗原結合抗体模倣物である、請求項１〜７のいずれか１項に記載の医薬組成物。
【請求項９】
前記ＫＤはバイオセンサー解析によって求められる、請求項８に記載の医薬組成物。
【請求項１０】
前記化合物がヒト化モノクローナル抗体である、請求項１〜９のいずれか１項に記載の医薬組成物。
【請求項１１】
前記化合物が、ＣＤ３８のＮＡＡＤＰ加水分解酵素活性を５μＭ以下のＩＣ５０で阻害する、またはＣＤ３８のＮＡＡＤＰシンターゼ活性を５μＭ以下のＥＣ５０で活性化する有機小分子である、請求項１〜３のいずれか１項に記載の医薬組成物。
【請求項１２】
前記化合物が、グルタミン酸１４６、アスパラギン酸１５５およびグルタミン酸２２６を含む群より選択される配列番号１のヒトＣＤ３８の少なくとも１つのアミノ酸と特異的に結合する、有機小分子である、請求項１〜３または１１のいずれか１項に記載の医薬組成物。
【請求項１３】
前記神経変性疾患が、パーキンソン病ならびに関連障害；運動ニューロン疾患；神経炎症性疾患；アルツハイマー病および関連障害；プリオン病；リソソーム蓄積症；白質ジストロフィー；ハンチントン病；多発性硬化症；ダウン症候群；球脊髄性筋萎縮症；ＨＩＶ関連神経認知障害；トゥレット症候群；常染色体優性遺伝性脊髄小脳失調症；フリードライヒ運動失調症；歯状核赤核淡蒼球ルイ体萎縮症；筋強直性ジストロフィー；統合失調症；加齢による記憶障害；自閉症および自閉症スペクトラム障害；注意欠陥多動障害；慢性疼痛；アルコール性認知症；進行性非流暢性失語症；意味性認知症；痙性対麻痺；線維筋痛症；ライム病後疾患；ニューロパチー；離脱症状；アルパース病；脳・眼・顔・骨格症候群；ウィルソン病；コケイン症候群；リー病；脳内鉄蓄積を伴う神経変性；オプソクローヌス・ミオクローヌス症候群；アルファ−メチルアシル−ＣｏＡラセマーゼ欠損症；アンダーマン症候群；アーツ症候群；マリネスコ・シェーグレン症候群；ミトコンドリア膜タンパク質関連神経変性；パントテン酸キナーゼ関連神経変性症；硬化性白質脳症を伴う多発嚢胞性脂肪膜性骨異形成症；リボフラビン輸送体欠損性神経細胞障害；ならびに毛細血管拡張性運動失調症を含む群より選択される、請求項１〜１２のいずれか１項に記載の医薬組成物。
【請求項１４】
前記パーキンソン病の関連障害が、パーキンソン認知症、常染色体劣性遺伝性ＰＡＲＫ２およびＰＡＲＫ６連鎖パーキンソニズム、非定型パーキンソン症候群、進行性核上性麻痺、大脳皮質基底核変性症候群、レビー小体型認知症、多系統萎縮症、グアドループ島パーキンソニズムおよびリティコ・ボディグ病を含む群から選択される、請求項１３に記載の医薬組成物。
【請求項１５】
前記運動ニューロン疾患が、筋萎縮性側索硬化症、前頭側頭型認知症、進行性球麻痺、仮性球麻痺、原発性側索硬化症、進行性筋萎縮症、脊髄性筋萎縮症およびポリオ後症候群を含む群から選択される、請求項１３に記載の医薬組成物。
【請求項１６】
前記アルツハイマー病および関連障害が、初期段階のアルツハイマー障害、軽度段階のアルツハイマー障害、中等度段階のアルツハイマー障害、軽度から中等度段階のアルツハイマー障害、進行した段階のアルツハイマー障害、軽度認知障害、血管性認知症、混合型認知症、ピック病、嗜銀顆粒性疾患、後部皮質萎縮症、およびウェルニッケ・コルサコフ症候群を含む群から選択される、請求項１３に記載の医薬組成物。
【請求項１７】
前記神経変性疾患が、パーキンソン病、レビー小体型認知症、多系統萎縮症、アルツハイマー病、進行性核上性麻痺、大脳皮質基底核変性症候群、前頭側頭型認知症、筋萎縮性側索硬化症、球脊髄性筋萎縮症、脳卒中、外傷性脳損傷、ハンチントン病、多発性硬化症、フリードライヒ運動失調症、シャルコー・マリー・トゥース病、クロイツフェルト・ヤコブ病およびその他のプリオン病、ロイコジストロフィー、リソソーム蓄積症を含む群より選択される、請求項１〜１３のいずれか１項に記載の医薬組成物。
【請求項１８】
前記炎症性疾患が、神経炎症性疾患、ゴーシェ病、自己免疫疾患、アレルギー、喘息、肝炎、再灌流傷害、２型糖尿病および移植拒絶反応を含む群より選択される、請求項１〜１２のいずれか１項に記載の医薬組成物。
【請求項１９】
神経保護剤、対症剤、プロバイオティクスおよび凝集タンパク質または易凝集性タンパク質を中和するのに使用する抗体を含む群より選択される、少なくとも１つの第二の治療剤と組み合わせた、請求項１〜１８のいずれか１項に記載の医薬組成物であって、前記化合物および前記少なくとも１つの第二の治療剤が、個別投与、同時投与または連続投与用に製剤化されている、医薬組成物。
【請求項２０】
請求項１〜１２のいずれか１項で定められるＣＤ３８と特異的に結合する化合物を製造する方法であって、配列番号１と特異的に結合し、ＮＡＡＤＰ受容体２孔チャネルＴＰＣ１および／またはＴＰＣ２の開口を活性化する化合物を選択する段階を含む、方法。
【請求項２１】
ＣＤ３８のＮＡＡＤＰ加水分解酵素活性を阻害する、またはＣＤ３８のＮＡＡＤＰシンターゼ活性を活性化する化合物を選択する段階をさらに含む、請求項２０に記載の方法。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
患者におけるガストリン及び/又はCCK-B受容体シグナル伝達に関連する腫瘍及び/又は癌を、この腫瘍及び/又は癌に対する細胞性免疫応答の誘導因子に感作する方法に使用するための組成物であって、リンカーを介して免疫原性担体に結合しているガストリンペプチドを含む組成物。
【請求項２】
患者における腫瘍及び/又は癌に関連する線維症の形成を予防し、低減し、及び/又は排除する方法に使用するための組成物であって、リンカーを介して免疫原性担体に結合しているガストリンペプチド、及び免疫チェックポイント阻害剤を含む組成物。
【請求項３】
ガストリン関連の腫瘍又は癌に応答する、患者のＴＥＭＲＡ細胞の数を増加させるため、ＣＤ８＋腫瘍浸潤リンパ球の数を増すために使用するため、及び/又はガストリン関連腫瘍又は癌の転移を排除するために使用するための組成物であって、有効量の、リンカーを介して免疫原性担体に結合しているガストリンペプチド、及び免疫チェックポイント阻害剤を含む組成物。
【請求項４】
前記有効量が、前記組成物を患者の投与した場合に、ガストリン関連腫瘍又は癌に反応する、患者のＴＥＭＲＡ細胞の数を増加させるのに十分な、患者のガストリン関連の腫瘍又は癌に応答する、ＣＤ８＋腫瘍浸潤リンパ球の数を増すために十分な、及び/又は患者のガストリン関連腫瘍又は癌の転移を予防し、軽減し、及び/又は排除するために十分な、量である、請求項３に記載の組成物。
【請求項５】
前記ガストリンペプチドが、EGPWLEEEEE（配列番号１）、EGPWLEEEE（配列番号２）、EGPWLEEEEEAY（配列番号３）、及びEGPWLEEEEEAYGWMDF（配列番号４）から成る群から選択されるアミノ酸配列を含む、請求項１〜４のいずれか一項に記載の組成物。
【請求項６】
前記免疫原性担体が、ジフテリアトキソイド、破傷風トキソイド、キーホールリンペットヘモシアニン、及びウシ血清アルブミンから成る群から選択される、請求項１〜５のいずれか一項に記載の組成物。
【請求項７】
前記リンカーがε-マレイミドカプロン酸N-ヒドロキシスクシンアミドエステルを含む、請求項１〜６のいずれか一項に記載の組成物。
【請求項８】
前記リンカーと前記ガストリンペプチドが、アミノ酸スペーサーにより分離される、請求項１〜７のいずれか一項に記載の組成物。
【請求項９】
前記アミノ酸スペーサーの長さが、１〜１０アミノ酸である、請求項８に記載の組成物。
【請求項１０】
前記アミノ酸スペーサーの長さが、７アミノ酸である、請求項９に記載の組成物。
【請求項１１】
前記免疫チェックポイント阻害剤が、細胞傷害性Tリンパ球抗原4（CTLA4）、プログラム細胞死-1受容体（PD-1）及びプログラム細胞死1受容体リガンド（PD-L1）から成る群から選択される標的ポリペプチドの生物活性を阻害する、請求項２〜１０のいずれか一項に記載の組成物。
【請求項１２】
前記免疫チェックポイント阻害剤が、イピリムマブ、トレメリムマブ、ニボルマブ、ピジリズマブ、ペンブロリズマブ、AMP514、AUNP12、BMS-936559/MDX-1105、アテゾリズマブ、MPDL3280A、RG7446、RO5541267、MEDI4736、アベルマブ及びデュルバルマブから成る群から選択される、請求項１１に記載の組成物。
【請求項１３】
前記医薬組成物が、更にアジュバントを含む、請求項１〜１２のいずれか一項に記載の組成物。
【請求項１４】
前記アジュバントが、油性アジュバントである、請求項１３に記載の組成物。
【請求項１５】
前記ガストリン関連の腫瘍及び/又は癌が膵臓癌である、請求項１〜１４のいずれか一項に記載の組成物。
【請求項１６】
前記組成物が、50μg〜1000μg、50μg〜500μg、100μg〜1000μg、200μg〜1000μg、及び250μg〜500μgから成る群から選択される用量で投与される、請求項１〜１４のいずれか一項に記載の組成物。
【請求項１７】
前記用量が１回、２回又は３回繰り返され投与される、請求項１６に記載の組成物。
【請求項１８】
前記２回目の用量が１回目の用量の１週間後に投与され、３回目の用量が投与されるならば、それが２回目の投与の１又は２週間後に投与される、請求項１７に記載の組成物。
【手続補正２】
【補正対象書類名】明細書
【補正対象項目名】００２８
【補正方法】変更
【補正の内容】
【００２８】
また、本発明は、いくつかの実施態様において、ガストリン関連の腫瘍又は癌を治療するための医薬品を製造するための、免疫チェックポイント阻害剤及びガストリン免疫原を含む組成物の使用を提供する。
また、本発明は、いくつかの実施態様において、ガストリン関連腫瘍又は癌の転移を予防し、軽減し、及び/又は排除するための、本発明の医薬組成物の使用を提供する。いくつかの実施態様において、本発明は、ＣＤ８＋腫瘍浸潤リンパ球の数を増強するのに十分な量の請求項１〜１３のいずれか一項に記載の医薬組成物を、ガストリン関連腫瘍又は癌を有する患者に投与することに関する。
また、本発明は、いくつかの実施態様において、前記使用は、本発明の医薬組成物を受けなかった患者に見られるものと比較して、患者の生存率の改善、腫瘍成長の低減、及び/又は患者における化学療法剤及び/又は免疫チェックポイント療法の有効性の向上をもたらす。
また、本発明は、ＦｏｘＰ３＋阻害性Ｔ調節細胞の数を減少させるのに十分な量の本発明の医薬組成物を、ガストリン関連腫瘍又は癌を有する患者に投与することにより、ガストリン関連腫瘍又は癌の転移を予防し、軽減し、及び/又は排除するための、本発明の医薬組成物の使用を提供する。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
樹脂希釈エラストマーであって、エラストマーが２０００００ｇ／ｍｏｌ以上の数平均モル質量を有する合成ジエンエラストマーであり、樹脂が可塑化用炭化水素ベース樹脂である、樹脂希釈エラストマー。
【請求項２】
合成ジエンエラストマーの数平均モル質量が、２５００００ｇ／ｍｏｌ〜４５００００ｇ／ｍｏｌの範囲内である、請求項１に記載の樹脂希釈エラストマー。
【請求項３】
可塑化用炭化水素ベース樹脂が、４００〜２０００ｇ／ｍｏｌの間、好ましくは５００〜１５００ｇ／ｍｏｌの間の数平均モル質量を有する、請求項１又は２に記載の樹脂希釈エラストマー。
【請求項４】
可塑化用炭化水素ベース樹脂が、脂肪族樹脂、芳香族樹脂およびこれらの樹脂の混合物で構成される群から選択される、請求項１から３のいずれか１項に記載の樹脂希釈エラストマー。
【請求項５】
可塑化用炭化水素ベース樹脂が、シクロペンタジエンホモポリマーまたはコポリマー樹脂、ジシクロペンタジエンホモポリマーまたはコポリマー樹脂、テルペンホモポリマーまたはコポリマー樹脂、Ｃ５分画ホモポリマーまたはコポリマー樹脂、Ｃ９分画ホモポリマーまたはコポリマー樹脂、Ｃ５分画ホモポリマーまたはコポリマー樹脂およびＣ９分画ホモポリマーまたはコポリマー樹脂の混合物、α−メチルスチレンホモポリマーまたはコポリマー樹脂、ならびにこれらの樹脂の混合物で構成される群から選択される、請求項４に記載の樹脂希釈エラストマー。
【請求項６】
可塑化用炭化水素ベース樹脂の含量が、５〜１００ｐｈｒ、好ましくは３０〜８０ｐｈｒの範囲内である、請求項１から５のいずれか１項に記載の樹脂希釈エラストマー。
【請求項７】
４０ＭＵ以上、好ましくは５０〜７５ＭＵの範囲内のムーニー粘度指数を有する、請求項１〜６のいずれか１項に記載の樹脂希釈エラストマー。
【請求項８】
請求項１から７のいずれか１項に記載の少なくとも１種の樹脂希釈エラストマー、および少なくとも１種の補強充填剤をベースとし、少なくとも１種の化学架橋系を含む、組成物。
【請求項９】
請求項１から７のいずれか１項に記載の少なくとも１種の樹脂希釈エラストマーを含むタイヤ。
【請求項１０】
請求項８に記載の少なくとも１種の組成物を含むタイヤ。
【手続補正書】
【提出日】令和3年6月28日(2021.6.28)
【手続補正１】
【補正対象書類名】明細書
【補正対象項目名】００９０
【補正方法】変更
【補正の内容】
【００９０】
当業者には、特許請求される主題の趣旨および範囲から逸脱することなく、本明細書に記載される実施形態に対して様々な修正および変更がなされ得ることが明らかであろう。したがって、本明細書は、本明細書に記載された様々な実施形態の改変および変形を包含するが、かかる改変および変形は、添付の特許請求の範囲およびそれらの等価物の範囲内に入るものとすることが意図される。
以下、本発明の好ましい実施形態を項分け記載する。
実施形態１
脱硫海水を含む粘弾性界面活性剤流体を生成する方法であって、
アルカリ土類金属ハロゲン化物を海水に添加して、硫酸塩沈殿物を生成することと、
前記硫酸塩沈殿物を除去して、前記脱硫海水を生成することと、
粘弾性界面活性剤、およびナノ粒子粘度調整剤またはポリマー粘度調整剤のうちの１つ以上を前記脱硫海水に添加して、前記粘弾性界面活性剤流体を生成することと
を含み、前記粘弾性界面活性剤は以下の一般式を有し、
【化６】
2020528484.tif 000001
式中、Ｒ１は、１７〜２９個の炭素原子の飽和または不飽和炭化水素基であり、Ｒ２およびＲ３は、それぞれ独立して、１〜６個の炭素原子の直鎖もしくは分岐アルキルまたはヒドロキシアルキル基から選択され、Ｒ４は、Ｈ、ヒドロキシル、１〜４個の炭素原子のアルキルまたはヒドロキシアルキル基から選択され、ｋは、２〜２０の整数であり、ｍは、１〜２０の整数であり、ｎは、０〜２０の整数である、方法。
実施形態２
前記アルカリ土類金属ハロゲン化物が、ハロゲン化カルシウムまたはＣａＣｌ２のうちの１つ以上を含む、実施形態１に記載の方法。
実施形態３
前記アルカリ土類金属ハロゲン化物にＣａＯを添加して、硫酸塩沈殿物を生成することをさらに含む、実施形態１に記載の方法。
実施形態４
前記粘弾性界面活性剤流体が、０．１体積％〜２０体積％の粘弾性界面活性剤を含む、実施形態１に記載の方法。
実施形態５
前記ポリマー粘度調整剤が、２５０，０００ｇ／ｍｏｌ〜４０，０００，０００ｇ／ｍｏｌ、より好ましくは２，０００，０００ｇ／ｍｏｌ〜８，０００，０００ｇ／ｍｏｌの重量平均分子量を有する、実施形態１に記載の方法。
実施形態６
前記粘弾性界面活性剤流体が、０．００１重量％〜５重量％のナノ粒子粘度調整剤を含む、実施形態１に記載の方法。
実施形態７
粘弾性界面活性剤流体であって、
以下の一般式を含む粘弾性界面活性剤であって、
【化７】
2020528484.tif 000002
式中、Ｒ１は、１７〜２９個の炭素原子の飽和または不飽和炭化水素基であり、Ｒ２およびＲ３は、それぞれ独立して、１〜６個の炭素原子の直鎖もしくは分枝アルキルまたはヒドロキシアルキル基から選択され、Ｒ４は、Ｈ、ヒドロキシル、１〜４個の炭素原子のアルキルまたはヒドロキシアルキル基から選択され、ｋは、２〜２０の整数であり、ｍは、１〜２０の整数であり、ｎは、０〜２０の整数である、粘弾性界面活性剤と、
０．１〜５００ナノメートルの粒径を含む少なくとも１つのナノ粒子粘度調整剤と、
脱硫海水と、
少なくとも１つの安定化カルシウム塩と
を含む、粘弾性界面活性剤流体。
実施形態８
前記粘弾性界面活性剤が、エルカミドプロピルヒドロキシプロピルスルタインを含む、実施形態７に記載の粘弾性界面活性剤流体。
実施形態９
前記粘弾性界面活性剤流体が、０．１体積％〜２０体積％の粘弾性界面活性剤を含む、実施形態７に記載の粘弾性界面活性剤流体。
実施形態１０
前記粘弾性界面活性剤流体が、１重量％〜５０重量％の少なくとも１つの安定化カルシウム塩を含む、実施形態７に記載の粘弾性界面活性剤流体。
実施形態１１
前記ナノ粒子粘度調整剤が非ポリマー性である、実施形態７に記載の粘弾性界面活性剤流体。
実施形態１２
前記粘弾性界面活性剤流体が、０．００１重量％〜５重量％のナノ粒子粘度調整剤を含む、実施形態７に記載の粘弾性界面活性剤流体。
実施形態１３
前記粘弾性流体が、３００°Ｆ以上の温度で１０ｃＰ以上の粘度を有する、実施形態７に記載の粘弾性界面活性剤流体。
実施形態１４
粘弾性界面活性剤流体であって、
以下の一般式を含む粘弾性界面活性剤であって、
【化８】
2020528484.tif 000003
式中、Ｒ１は、１７〜２９個の炭素原子の飽和または不飽和炭化水素基であり、Ｒ２およびＲ３は、それぞれ独立して、１〜６個の炭素原子の直鎖もしくは分枝アルキルまたはヒドロキシアルキル基から選択され、Ｒ４は、Ｈ、ヒドロキシル、１〜４個の炭素原子のアルキルまたはヒドロキシアルキル基から選択され、ｋは、２〜２０の整数であり、ｍは、１〜２０の整数であり、ｎは、０〜２０の整数である、粘弾性界面活性剤と、
２５０，０００ｇ／ｍｏｌ〜４０，０００，０００ｇ／ｍｏｌの重量平均分子量を有する少なくとも１つのポリマー粘度調整剤と、
脱硫海水と、
少なくとも１つの安定化カルシウム塩と
を含む、粘弾性界面活性剤流体。
実施形態１５
前記ポリマー粘度調整剤が、２，０００，０００ｇ／ｍｏｌ〜８，０００，０００ｇ／ｍｏｌの重量平均分子量を有する、実施形態１４に記載の粘弾性界面活性剤流体。
【誤訳訂正書】
【提出日】令和3年1月15日(2021.1.15)
【誤訳訂正１】
【訂正対象書類名】特許請求の範囲
【訂正対象項目名】全文
【訂正方法】変更
【訂正の内容】
【特許請求の範囲】
【請求項１】
塩化マグネシウム系担持体上のＴｉ化合物及び任意選択的に電子供与体を含む、ＣＨ２＝ＣＨＲオレフィン（ここで、Ｒは、水素または１〜１２個の炭素原子を有するヒドロカルビルラジカルである）の（共）重合用固体触媒成分の製造方法であって、前記方法は、化学式（ＭｇＣｌｍＸ２−ｍ）・ｎＬＢ（ここで、ｍは、０〜２の範囲であり、ｎは、０〜６の範囲であり、Ｘは、独立的にハロゲン、Ｒ１、ＯＲ１、−ＯＣＯＲ１またはＯ−Ｃ（Ｏ）−ＯＲ１基であり、Ｒ１は、Ｃ１−Ｃ２０炭化水素基であり、ＬＢは、ルイス塩基である）のＭｇ系化合物を、少なくともＴｉ−Ｃｌ結合を有するＴｉ化合物をＴｉ／Ｍｇモル比が３を超過する量で含む液体媒体と反応させる、０〜１５０℃範囲の温度で実行される１つ以上のステップ（ａ）；及び前記ステップ（ａ）から生成される固体生成物を１０〜１００℃範囲の温度で炭化水素を含む液体媒体中に懸濁させる少なくとも１つのステップ（ｂ）を含み、前記方法は、
前記ステップ（ａ）及び／または（ｂ）中の少なくとも１つのステップが、Ｍｇ化合物の量に対して０．２〜２０．０重量％の固体化合物の粒子の存在下で実行されること、及び
前記固体化合物が５０重量％超過のＳｉＯ２単位を含みそして１〜１００μｍ範囲の平均粒径を有することを特徴とする、方法。
【請求項２】
５０重量％超過のＳｉＯ２単位を含む前記固体化合物が１〜３０μｍ範囲の平均粒径を有する、請求項１に記載の方法。
【請求項３】
５０重量％超過のＳｉＯ２単位を含む前記固体化合物がシリカ、ケイ酸塩及び珪藻土から選択される、請求項１に記載の方法。
【請求項４】
５０重量％超過のＳｉＯ２単位を含む前記固体化合物がタルクである、請求項３に記載の方法。
【請求項５】
５０重量％超過のＳｉＯ２単位を含む前記固体化合物の量がステップ（ａ）で使用されるＭｇ化合物の量に対し、０．５〜１０重量％の範囲である、請求項１に記載の方法。
【請求項６】
５０重量％超過のＳｉＯ２単位を含む前記固体化合物がステップ（ａ）で存在する、請求項１に記載の方法。
【請求項７】
５０重量％超過のＳｉＯ２単位を含む前記固体化合物がステップ（ｂ）で添加される、請求項１に記載の方法。
【請求項８】
前記ステップ（ａ）で、任意選択的に置換された芳香族ポリカルボン酸のアルキル及びアリールエステル、マロン酸のエステル、グルタル酸のエステル、マレイン酸のエステル、コハク酸のエステル；ジカルバメート、モノエステルモノカルバメート及びモノエステルモノカーボネートから選択されるジオール誘導体；及び下記化学式（Ｉ）の１，３−ジエーテルからなる群より選択される電子供与体化合物を使用することをさらに含む、請求項１に記載の方法：
【化１】
2020528962.tif 000001
（前記式において、Ｒ、ＲＩ、ＲＩＩ、ＲＩＩＩ、ＲＩＶ及びＲＶは、互いに同一であるかまたは異なり、水素または１〜１８個の炭素原子を有する炭化水素ラジカルであり；
ＲＶＩ及びＲＶＩＩは、互いに同一であるかまたは異なり、ＲＶＩ及びＲＶＩＩが水素であってはならないということを除いては、Ｒ〜ＲＶと同一の意味を有し；Ｒ〜ＲＶＩＩ基中の１つ以上は結合されてサイクルを形成することができる）。
【誤訳訂正２】
【訂正対象書類名】明細書
【訂正対象項目名】００１０
【訂正方法】変更
【訂正の内容】
【００１０】
したがって、本開示の目的は、塩化マグネシウム系担持体上のＴｉ化合物及び任意選択的に電子供与体を含む、ＣＨ２＝ＣＨＲオレフィン（ここで、Ｒは、水素または１〜１２個の炭素原子を有するヒドロカルビルラジカルである）の（共）重合用固体触媒成分の製造方法であって、上記方法は、化学式（ＭｇＣｌｍＸ２−ｍ）・ｎＬＢ（ここで、ｍは、０〜２の範囲であり、ｎは、０〜６の範囲であり、Ｘは、独立的にハロゲン、Ｒ１、ＯＲ１、−ＯＣＯＲ１またはＯ−Ｃ（Ｏ）−ＯＲ１基であり、Ｒ１は、Ｃ１−Ｃ２０炭化水素基であり、ＬＢは、ルイス塩基である）のＭｇ系化合物を、少なくともＴｉ−Ｃｌ結合を有するＴｉ化合物をＴｉ／Ｍｇモル比が３を超過する量で含む液体媒体と反応させる、０〜１５０℃範囲の温度で実行される１つ以上のステップ（ａ）；及び上記ステップ（ａ）から生成される固体生成物を１０〜１００℃範囲の温度で炭化水素を含む液体媒体中に懸濁させる少なくとも１つのステップ（ｂ）を含み、上記方法は、上記ステップ（ａ）及び／または（ｂ）中の少なくとも１つのステップが、Ｍｇ化合物の量に対して０．２〜２０．０重量％の固体化合物の粒子の存在下で実行されること、及び前記固体化合物が５０重量％超過のＳｉＯ２単位を含みそして１〜１００μｍ、好ましくは１〜３０μｍ範囲の平均粒径を有することを特徴とする、方法を提供する。